(57)【要約】      （修正有）【課題】醤油の注油量を自分の希望する量にする事が従来のものより容易に出来ると共に安価に実施可能な醤油さしを提供する。【解決手段】醤油吐出口１を形成するキャップ２に、寸法の相異する醤油吐出口１ａ、１ｂを形成し、注油における注油量の選択を可能にする。これにより料理に合った注油量の注油が簡単に出来る。【選択図】図１
0003203840.tif 000002
【実用新案登録請求の範囲】
【請求項１】
醤油さしの頭部側に貫通形成される複数の醤油吐出口の大きさが相異するものからなる事を特徴とする醤油さし。
【請求項２】
醤油吐出口の形成される部位の外観が醤油吐出口の大きさに対応して相異するものからなる事を特徴とする請求項１に記載の醤油さし。
【請求項３】
醤油吐出口の形成される部位に醤油吐出口の大きさに対応した文字が設けられることを特徴とする請求項１に記載の醤油さし。
【考案の詳細な説明】
【技術分野】
【０００１】  本考案は、醤油さしの醤油吐出口の大きさや形状が相異する醤油さし。
【背景技術】
【０００２】  醤油さしとしては形状，材質等が相異する数多くの形状のものがある。先行技術としても極めて数多くのものが存在するが、例えば「特許文献１」や「特許文献２」の如きものが挙げられる。
【先行技術文献】
【特許文献】
【０００３】
【特許文献１】第３００６６８７号（図１）
【特許文献２】特開２００４−２１６０８６号（図１）  「特許文献１」の実用新案登録「第３００６６８７号」の「醤油さし」は使用時に押圧によってのみ醤油が吐出する形状のもので衣服や敷物質の醤油たれによる汚染を防止するものである。しかし図示のように２箇所の醤油吐出口の大きさは同一である。
「特許文献２」の「特開２００４−２１６０８６号」の「醤油さしの上のカバー」は醤油注出口がカバーにより不使用時には覆われてごみやほこりが醤油吐出口に付着しないようにしたものである。但し、図示のようにこのものは醤油吐出口は１箇所である。
【考案の概要】
【考案が解決しようとする課題】
【０００４】  料理としては醤油を必要とする各種のものがあり、お店のみでなく各家庭においても醤油さしが必ずと言ってよい程使用されている。この場合、注油する醤油の量は料理毎に相異するのが一般であるがその料理に見合った量の醤油をさすことは難しい。大体の場合、特に家庭では多量の注油が行われ、使用済の醤油が排出されてしまう状態の場合が多く、もったいないと言う苦情が良く聴かれる。適量の注油には若干のテクニックが必要であるが一般の家庭では注油はかなり無造差に行われている。一般に醤油をかけ過ぎた場合は折角の料理がまずくなり、逆に注油が少ない場合は再度注油する等の煩わしさが発生する。【０００５】  本願の考案者はこの弊害に着目して色々の醤油さしを調査したが醤油吐出口の大きさの相異する醤油さしを発見する事が出来なかった。
本考案は以上の情況に鑑みて考案したものであり、醤油の注油が使用に応じて特別のテクニックを用いる事なく出来る醤油さしを提案する事を目的とする。
【課題を解決するための手段】
【０００６】  本考案は、以上の目的を達成するために考案されたものであり、請求項１は醤油さしの頭部側に貫通形成される複数の醤油吐出口の大きさが相異するものからなる事を特徴とする。【０００７】  また、請求項２は醤油吐出口の形成される部位の外観が醤油吐出口の大きさに対応して相異するものからなる事を特徴とする。【０００８】  また、請求項３は醤油吐出口の形成される部位に醤油吐出口の大きさに対応した文字が設けられることを特徴とする。
【考案の効果】
【０００９】  本考案の請求項１の醤油さしによれば、醤油吐出口の大きさが相異するためその料理に見合った注油を今までよりも楽に行う事が出来、醤油の無駄使いも減少する。また、環境保全にも貢献出来る。【００１０】  また、請求項２の醤油さしによれば、醤油吐出口の形成されている部位の外観が醤油吐出口の大きさに対応するものからなるため間違いのない注油を行う事が出来る。【００１１】  また、請求項３の醤油さしによれば、醤油吐出口の大きさを表面やその近傍に醤油吐出口に対応する文字で記載するため間違った注油を行うことが防止される。
【図面の簡単な説明】
【００１２】
【図１】本考案における醤油吐出口を示す断面図（ａ）及び一部断面を有する上面図（ｂ）。
【図２】醤油吐出口の外観形状の相異するものを示す一部断面を有する上面図。
【図３】醤油吐出口の形成されている部位に対応する文字が記載されているものを示す上面図。
【図４】従来の醤油さしの全体図。
【図５】従来の醤油さしの醤油吐出口の部分を示す一部断面を含む上面図。
【考案を実施するための形態】
【００１３】  以下、本考案の醤油さしの実施の形態を図面を参照して詳述する。
【００１４】  実施例の説明に先立って従来の醤油さしの形状を図４，図５に示す。なお、醤油さしとしては極めて多くのものが存在しているが、図４，図５はその一例を示すものである。なお、前記したように他の従来醤油さしは醤油吐出口の大きさは全て同一のものからなる。
醤油さし１００は醤油の蓄油されている細長のビン本体３とこの頂部に設けられているキャップ２とからなる。醤油吐出口１は主としてキャップ２の部分に設けられており、図４（ｂ）に示すようにその大きさは同一のものからなる。
【実施例１】
【００１５】  ビン本体３の形状としては色々なものがあり、キャップ２についても色々なものがあるが、本実施例及び以下の実施例ではキャップ２の構造としては図５の形状のものを使用して説明しているが勿論これに限定するものではない。
図１（ａ）に示すようにキャップ２としてはビン本体３にねじ込みするためのねじ部６と頂部に形成されて貫通孔４を有する壁部５と、図１（ａ）及び図１（ｂ）に示すように醤油吐出口１を形成するものからなる。図示のようにこの実施例における醤油吐出口１の大きさは相異し大小のものからなる。大の醤油吐出口を１ａとし小の醤油吐出口を１ｂとする。なお、実施例では大小２箇所のみ形成しているが複数あっても良く夫々の醤油吐出口１の大きさが相異するものであってもよい。また、以上の実施例では醤油吐出口は大小２個のものが表示されているが勿論更に複数個あっても良い。
【実施例２】
【００１６】  図２に示すようにこの実施例におけるキャップ２は醤油吐出口１の形成されている部位の外観形状が相異するものである。即ち、大の醤油吐出口１ａの方は外観形状が大きく形成され、小の醤油吐出口１ｂの方は小さく形成されている。この外観形状の差によって醤油吐出口１の大小の区別が容易に出来、希望する醤油吐出口１を選ぶ事が出来る。
【実施例３】
【００１７】  図３に示すようにこの実施例におけるキャップ２は醤油吐出口１の外観形状は大小とも同一に形成されているがキャップ２の表面に大，小の文字を固定的に形成している点に特徴を有するものである。この大小の文字により醤油吐出口１の大小を容易に選ぶ事が出来る。
本考案は前記したように醤油吐出口の大きさを変えて醤油の無駄注油を防止すると共に多量の注油が必要の場合においても便利である。
また、醤油さし１００としては図１乃至図５等に示した形状のものに限定するものではなく、既存のその他の形状のものやその他の形式のものに対しても適用可能である。また、同一技術的範疇のものが適用される事も勿論である。
【産業上の利用可能性】
【００１８】  本考案は醤油吐出口が複数個ある醤油さしに対して適用可能であり、その利用範囲は極めて広い。
【符号の説明】
【００１９】  １      醤油吐出口
１ａ    醤油吐出口（大）
１ｂ    醤油吐出口（小）
２      キャップ
３      ビン本体
４      貫通孔
５      壁部
６      ねじ部
１００  醤油さし
【図１】
0003203840.tif 000003
【図２】
0003203840.tif 000004
【図３】
0003203840.tif 000005
【図４】
0003203840.tif 000006
【図５】
0003203840.tif 000007